(57)【要約】 【課題】  相手の応答の状態に応じて様々なコンテンツを送信することができる通信接続装置、通信装置、および通信接続方法を提供すること。【解決手段】  コンテンツサーバ２００ｂは、接続中においては、コンテンツ選定処理部２０１ｂがコンテンツデータベース２０２ｂから接続中用コンテンツを選定し、交換機２００ａが、選定した接続中用コンテンツを発話者携帯電話端末１００に送信する。そして、接続処理後、受話者携帯電話端末４００に対する接続中から呼出中に移行した場合には、コンテンツ選定処理部２０１ｂは、コンテンツデータベース２０２ｂから呼出中用コンテンツを選定する。そして、交換機２００ａは、選定した呼出中用コンテンツを発話者携帯電話端末１００に送信する。発話者携帯電話端末１００においては、送信された接続中用コンテンツまたは呼出中用コンテンツをそのディスプレイ１０４に表示することができる。【選択図】  図１
2010239371.tif 000002
【特許請求の範囲】
【請求項１】
発信端末から接続要求を受ける受信手段と、
前記受信手段により接続要求を受けると、前記発信先端末に対する接続処理を行う通信接続処理手段と、
前記通信接続処理手段による接続処理の実行中に、当該接続処理の実行中に前記発信端末において再生させるための接続中用コンテンツを記憶手段から選択し、当該接続処理後、前記通信接続処理手段により前記発信先端末に対する接続処理の実行中から呼出中に移行した場合には、呼び出しに応じて前記発信端末において再生させるための呼出中用コンテンツを記憶手段から選択する選択手段と、
前記選択手段により選択された接続中用コンテンツを前記発信端末に送信し、その送信後、前記通信接続処理手段において前記発信先端末に対する接続処理の実行中から呼出中に移行した場合には、前記呼出中用コンテンツを前記発信端末に送信する送信手段と、
を備える通信接続装置。
【請求項２】
前記記憶手段は、所定時間の再生時間を要する短時間用コンテンツと前記所定時間より長い再生時間を要する長時間用コンテンツとを呼出中用コンテンツとして記憶し、
前記選択手段は、前記発信先端末の応答予測時間に基づいて、前記短時間用コンテンツまたは長時間用コンテンツのいずれかの呼出中用コンテンツを送信するか選択し、
前記送信手段は、前記選択手段により選択された呼出中用コンテンツを送信することを特徴とする請求項１に記載の通信接続装置。
【請求項３】
発信端末の発信先端末に対する接続処理の実行中に前記発信端末において再生させるための接続中用コンテンツ、および前記発信端末の呼出処理の実行中に当該発信端末において再生させるための呼出中用コンテンツを記憶する記憶手段を有するサーバ装置と通信接続することを特徴とする請求項１または２に記載の通信接続装置。
【請求項４】
発信端末の発信先端末に対する接続処理の実行中に前記発信端末において再生させるための接続中用コンテンツ、および前記発信端末の呼出処理の実行中に当該発信端末において再生させるための呼出中用コンテンツを記憶する記憶手段をさらに備えることを特徴とする請求項１または２に記載の通信接続装置。
【請求項５】
前記通信接続処理手段は、前記発信先端末における着信処理に応じて、前記発信端末と前記発信先端末との間での通話処理を実行するとともに、前記送信手段による呼出中用コンテンツの送信を中断し、
前記送信手段は、前記通信接続処理手段による前記発信端末と前記発信先端末との間の通話中状態が終了すると、着信処理に応じて中断された前記呼出中用コンテンツの中断場所から送信することを特徴とする請求項１から４のいずれか一項に記載の通信接続装置。
【請求項６】
請求項２に記載の通信接続装置に対して通信接続する通信装置であって、
前記通信接続装置から呼出信号を受信すると当該呼出信号に対する応答信号に応答予測時間を含めて応答する応答手段を備える通信装置。
【請求項７】
請求項２に記載の通信接続装置からの呼出要求に対する応答時間を検出する応答時間検出手段と、
前記検出手段により検出された応答時間に基づいて統計処理されて得られた応答予測時間を記憶する記憶手段をさらに備え、
前記応答手段は、前記呼出要求に応じて前記記憶手段に記憶されている応答予測時間を応答信号に含めて応答することを特徴とする請求項６に記載の通信装置。
【請求項８】
端末状態を検出する状態検出手段と、
前記状態検出手段により検出された端末状態に基づいて応答予測時間を算出する算出手段と、を備え、
前記応答手段は、前記算出手段により算出された応答予測時間を応答信号に含めて応答することを特徴とする請求項６に記載の通信装置。
【請求項９】
発信端末から接続要求を受ける受信ステップと、
前記受信ステップにより接続要求を受けると、前記発信先端末に対する接続処理を行う通信接続処理ステップと、
前記通信接続処理ステップによる接続処理の実行中に、当該接続処理の実行中に前記発信端末において再生させるための接続中用コンテンツを記憶手段から選択し、当該接続処理後、前記通信接続処理ステップにより前記発信先端末に対する接続処理の実行中から呼出中に移行した場合には、呼び出しに応じて前記発信端末において再生させるための呼出中用コンテンツを記憶手段から選択する選択ステップと、
前記選択ステップにより選択された接続中用コンテンツを前記発信端末に送信し、その送信後、前記通信接続処理ステップにおいて前記発信先端末に対する接続処理の実行中から呼出中に移行した場合には、前記呼出中用コンテンツを前記発信端末に送信する送信ステップと、
を備える通信接続方法。
【発明の詳細な説明】
【技術分野】
【０００１】
本発明は、通信接続中にコンテンツを送信する通信接続装置、通信装置、および通信接続方法に関する。
【背景技術】
【０００２】
近年、電話発信時に相手が電話に出るまでの待ち時間でユーザに音楽を聞かせるサービス技術が考えられている。例えば、下記特許文献１に記載されているように、リングバックトーンとして、利用者の好みのメロディを送信することが記載されている。
【先行技術文献】
【特許文献】
【０００３】
【特許文献１】特開２００４−８８４５２号公報
【発明の概要】
【発明が解決しようとする課題】
【０００４】
しかしながら、発信された側で決めた音楽コンテンツを発信側ユーザに聞かせるものであって、エンターテイメント性しかなく、また通話相手が電話に出るとコンテンツが中断してしまうので、ユーザはコンテンツを最後まで満足に楽しむことができない、という問題があった。
【０００５】
そこで、本発明は、これら問題点を解決するために、相手の応答の状態に応じて様々なコンテンツを送信することができる通信接続装置、通信装置、および通信接続方法を提供することを目的とする。
【課題を解決するための手段】
【０００６】
上述の課題を解決するために、本発明の通信接続装置は、発信端末から接続要求を受ける受信手段と、前記受信手段により接続要求を受けると、前記発信先端末に対する接続処理を行う通信接続処理手段と、前記通信接続処理手段による接続処理の実行中に、当該接続処理の実行中に前記発信端末において再生させるための接続中用コンテンツを記憶手段から選択し、当該接続処理後、前記通信接続処理手段により前記発信先端末に対する接続処理の実行中から呼出中に移行した場合には、呼び出しに応じて前記発信端末において再生させるための呼出中用コンテンツを記憶手段から選択する選択手段と、前記選択手段により選択された接続中用コンテンツを前記発信端末に送信し、その送信後、前記通信接続処理手段において前記発信先端末に対する接続処理の実行中から呼出中に移行した場合には、前記呼出中用コンテンツを前記発信端末に送信する送信手段と、を備えている。
【０００７】
この発明によれば、発信端末から接続要求を受けると、発信先端末に対する接続処理を行うとともに、接続中用コンテンツを選択し、当該接続処理後、発信先端末に対する接続処理の実行中から呼出中に移行した場合には、呼出中用コンテンツを選択する。そして、接続中においては、選択された接続中用コンテンツを発信端末に送信し、その送信後、発信先端末に対する接続中から呼出中に移行した場合には、呼出中用コンテンツを発信端末に送信する。これにより、接続中であるか、呼出中であるかなどその通信状態に応じて発信端末に送信するコンテンツを選択することができ、適切な再生時間または情報量を有するコンテンツの再生または表示を発信端末に行わせることができる。よって、コンテンツの再生またはユーザの理解の途中で中断することなく、コンテンツに対するユーザの満足度を向上させ、エンターテイメント性を向上させることができる。
【０００８】
また、本発明の通信接続装置における記憶手段は、所定時間の再生時間を要する短時間用コンテンツと前記所定時間より長い再生時間を要する長時間用コンテンツとを呼出中用コンテンツとして記憶し、前記選択手段は、前記発信先端末の応答予測時間に基づいて、前記短時間用コンテンツまたは長時間用コンテンツのいずれかの呼出中用コンテンツを送信するか選択し、前記送信手段は、前記選択手段により選択された呼出中用コンテンツを送信することが好ましい。
【０００９】
この発明によれば、発信先端末の応答予測時間に基づいて、短時間用コンテンツまたは長時間用コンテンツのいずれかの呼出中用コンテンツを送信するか選択し、選択された呼出中用コンテンツを送信する。よって、発信先端末のユーザが応答するまでの適切な再生時間またはユーザが一時に把握するのに適した情報量を有するコンテンツを選択することができ、コンテンツの再生またはユーザの把握が中断することの無いコンテンツを選択することができる。
【００１０】
また、本発明の通信接続装置は、発信端末の発信先端末に対する接続処理の実行中に前記発信端末において再生させるための接続中用コンテンツ、および前記発信端末の呼出処理の実行中に当該発信端末において再生させるための呼出中用コンテンツを記憶する記憶手段を有するサーバ装置と通信接続することが好ましい。
【００１１】
この発明によれば、サーバ装置において、接続中用コンテンツ、および呼出中用コンテンツを記憶しておくことができる。
【００１２】
また、本発明の通信接続装置は、発信端末の発信先端末に対する接続処理の実行中に前記発信端末において再生させるための接続中用コンテンツ、および前記発信端末の呼出処理の実行中に当該発信端末において再生させるための呼出中用コンテンツを記憶する記憶手段をさらに備えることが好ましい。
【００１３】
この発明によれば、自装置内において接続中用コンテンツおよび呼出中用コンテンツを記憶しておくことができる。
【００１４】
また、本発明の通信接続装置において通信接続処理手段は、前記発信先端末における着信処理に応じて、前記発信端末と前記発信先端末との間での通話処理を実行するとともに、前記送信手段による呼出中用コンテンツの送信を中断し、前記送信手段は、前記通信接続処理手段による前記発信端末と前記発信先端末との間の通話中状態が終了すると、着信処理に応じて中断された前記呼出中用コンテンツの中断場所から送信することが好ましい。
【００１５】
この発明によれば、発信端末と発信先端末との間の通話中状態が終了すると、着信処理に応じて中断された呼出中用コンテンツの中断場所から送信することができ、中断した場合においてもユーザはコンテンツを視聴または理解することができ、そのコンテンツを最後まで楽しむことができる。
【００１６】
また、本発明の通信装置は、上記通信接続装置に対して通信接続する通信装置であって、前記通信接続装置から呼出信号を受信すると当該呼出信号に対する応答信号に応答予測時間を含めて応答する応答手段を備えている。
【００１７】
この発明によれば、呼出信号に応じて応答予測時間を発信端末に応答することができ、発信端末の状態に応じた再生時間またはユーザの一時に把握するのに適した情報量を有する呼出中用コンテンツを通信接続装置において定めさせることができる。
【００１８】
また、本発明の通信装置は、上記通信接続装置からの呼出要求に対する応答時間を検出する応答時間検出手段と、前記検出手段により検出された応答時間に基づいて統計処理されて得られた応答予測時間を記憶する記憶手段をさらに備え、前記応答手段は、前記呼出要求に応じて前記記憶手段に記憶されている応答予測時間を応答信号に含めて応答することが好ましい。
【００１９】
この発明によれば、呼出要求があるたびにその応答時間に基づいて統計処理されて得られた応答予測時間を記憶しておき、呼出要求があるとその応答予測時間を応答信号に含めて応答することで、通信接続装置側に発信先装置の応答予測時間を知らせることができる。この応答予測時間は過去の応答時間に基づいて作成されたものであることから、概ね妥当な時間であり、その応答予測時間に応じたコンテンツを通信接続装置に選択させることができる。
【００２０】
また、本発明の通信装置は、端末状態を検出する状態検出手段と、
【００２１】
前記状態検出手段により検出された端末状態に基づいて応答予測時間を算出する算出手段と、を備え、前記応答手段は、前記算出手段により算出された応答予測時間を応答信号に含めて応答することが好ましい。
【００２２】
この発明によれば、端末状態に基づいて応答予測時間を算出し、算出された応答予測時間を応答信号に含めて応答することにより、より適切な応答予測時間を通信接続装置に通知することができる。よって、その応答予測時間に応じたコンテンツを通信接続装置に選択させることができる。
【００２３】
本発明の通信接続方法は、発信端末から接続要求を受ける受信ステップと、
【００２４】
前記受信ステップにより接続要求を受けると、前記発信先端末に対する接続処理を行う通信接続処理ステップと、前記通信接続処理ステップによる接続処理の実行中に、当該接続処理の実行中に前記発信端末において再生させるための接続中用コンテンツを記憶手段から選択し、当該接続処理後、前記通信接続処理ステップにより前記発信先端末に対する接続処理の実行中から呼出中に移行した場合には、呼び出しに応じて前記発信端末において再生させるための呼出中用コンテンツを記憶手段から選択する選択ステップと、前記選択ステップにより選択された接続中用コンテンツを前記発信端末に送信し、その送信後、前記通信接続処理ステップにおいて前記発信先端末に対する接続処理の実行中から呼出中に移行した場合には、前記呼出中用コンテンツを前記発信端末に送信する送信ステップと、を備えている。
【発明の効果】
【００２５】
本発明によれば、接続中であるか、呼出中であるかなどその通信状態に応じて発信端末に送信するコンテンツを選択することができ、適切な再生時間または情報量を有するコンテンツの再生または表示を発信端末に行わせることができる。よって、コンテンツの再生またはユーザの理解の途中で中断することなく、コンテンツに対するユーザの満足度を向上させ、エンターテイメント性を向上させることができる。
【図面の簡単な説明】
【００２６】
【図１】本実施形態の発話者携帯電話端末１００、通信接続装置２００および受話者携帯電話端末４００の機能構成を示すブロック図である。
【図２】コンテンツサーバ２００ｂの詳細な機能ブロックを示すブロック図である。
【図３】発話者携帯電話端末１００、通信接続装置２００、および受話者携帯電話端末４００の動作を示すシーケンス図である。
【図４】配信するコンテンツの選定処理を示すフローチャートである。
【図５】呼出応答時間予測部４０１を含んだ受話者携帯電話端末４００の詳細な機能を示すブロック図である。
【図６】他の実施形態における受話者携帯電話端末４００の機能構成を示すブロック図である。
【図７】端末振動パターンデータベース４０１ｆおよび端末状態別応答予測時間データベース４０１ｈの具体例を示す説明図である。
【発明を実施するための形態】
【００２７】
添付図面を参照しながら本発明の実施形態を説明する。可能な場合には、同一の部分には同一の符号を付して、重複する説明を省略する。
【００２８】
図１は、本実施形態の発話者携帯電話端末１００、通信接続装置２００および受話者携帯電話端末４００の機能構成を示すブロック図である。図１に示すように、発話者携帯電話端末１００は、電話発信処理部１０１、通信制御部１０２、コンテンツ表示処理部１０３、およびディスプレイ１０４を含んで構成されている。また、通信接続装置２００は、交換機２００ａおよびコンテンツサーバ２００ｂを含んで構成されている。この交換機２００ａは、通信接続部２０１ａを含んでいる。また、コンテンツサーバ２００ｂは、コンテンツデータベース２０２ｂおよびコンテンツ選定処理部２０１ｂを含んでいる。また、受話者携帯電話端末４００は、呼出応答時間予測部４０１、通信制御部４０２、および電話着信処理部４０３を含んで構成されている。
【００２９】
これら発話者携帯電話端末１００、交換機２００ａ、コンテンツサーバ２００ｂ、および受話者携帯電話端末４００は、ＣＰＵ、ＲＡＭ、ＲＯＭ、通信モジュール等のハードウエアを備えており、ＲＯＭに記憶されているプログラムにしたがってＣＰＵが各種機能を実行することができる。以下、図１に示される各機能要素について説明する。
【００３０】
まず、発話者携帯電話端末１００の各機能ブロックについて説明する。電話発信処理部１０１は、ユーザ操作にしたがって、受話者携帯電話端末４００に通信制御部１０２を介して発信処理を実行する部分である。
【００３１】
通信制御部１０２は、電話発信処理部１０１における発信処理が行われると、そのための通信制御を行う部分である。そして、受話者携帯電話端末４００に対する通信接続処理、通話処理、および通信接続装置２００から送信されるコンテンツの受信処理を行う。
【００３２】
コンテンツ表示処理部１０３は、通信制御部１０２を介して受信したコンテンツをディスプレイ１０４に表示する制御を行う部分である。例えば、コンテンツ表示処理部１０３は、通信接続装置２００からストリーミング配信により配信されたストリーミングデータをディスプレイ１０４に表示するよう制御する。なお、ストリーミング配信に限定することなく、通信制御部１０２においてコンテンツとして動画ファイルを受信した場合には、その動画ファイルの再生処理を行うようにしてもよい。
【００３３】
ディスプレイ１０４は、受信したコンテンツを表示する部分である。
【００３４】
つぎに、交換機２００ａの機能要素について説明する。通信接続部２０１ａは、発話者携帯電話端末１００からの発信処理にしたがって、受話者携帯電話端末４００に対する通信接続処理を行う部分である。なお、後述するコンテンツサーバ２００ｂに備えられているコンテンツ選定処理部２０１ｂは、交換機２００ａ側に備えられてもよく、その場合、コンテンツサーバ２００ｂは、コンテンツデータベース記憶することにとどまるものとなる。
【００３５】
つぎに、コンテンツサーバ２００ｂについて説明する。コンテンツ選定処理部２０１ｂは、発話者携帯電話端末１００に送信するコンテンツを選定する部分である。コンテンツ選定処理部２０１ｂは、発話者携帯電話端末１００が受話者携帯電話端末４００に対する接続処理の実行中（接続中）、または呼び出している間（呼出中）を区別して、適切な再生時間を有するコンテンツを選定し、または呼出中においては、呼出開始後、その応答までの予測時間にしたがって定められたコンテンツを選定する部分である。
【００３６】
コンテンツデータベース２０２ｂは、発話者携帯電話端末１００に送信するコンテンツを記憶する部分である。このコンテンツデータベース２０２ｂは、発話者携帯電話端末１００から受話者携帯電話端末４００に対する接続処理実行中に送信する接続中用コンテンツと、受話者携帯電話端末４００に対する呼出中に送信する呼出中用コンテンツとを記憶する部分である。
【００３７】
なお、本実施形態では、「接続処理の実行中」「接続中」とは、通信接続部２０１ａが通信接続先である受話者携帯電話端末４００の在圏位置等を確認し、そして呼出信号を送信するまでの間とする。また、「呼び出している間」「呼出中」とは、通信接続部２０１ａから送信された呼出信号が受話者携帯電話端末４００にて受信され、受話者携帯電話端末４００においてユーザ操作により着信可能な状態、すなわち、呼出音が鳴動、呼び出しのための振動処理、またはＬＥＤによる点灯若しくは点滅処理が行われている状態をいう。
【００３８】
つぎに、受話者携帯電話端末４００について説明する。呼出応答時間予測部４０１は、受話者携帯電話端末４００のユーザが、発話者携帯電話端末１００からの呼び出しに応じてどれぐらいの時間をもって着信処理（すなわち応答処理）を行うかを判断する部分である。例えば、後述するとおり、呼出応答時間予測部４０１は、呼出応答時間を記憶した着信履歴記憶部を備え、この呼出応答時間に基づいて統計処理された時間を応答予測時間とする。また、別の手法として、呼出応答時間予測部４０１は、加速度センサ等を用いて、端末の状態（使用中、机に放置など）を把握し、その状態に応じた時間を応答予測時間とする。
【００３９】
通信制御部４０２は、通信接続装置２００を介して送信された発話者携帯電話端末１００からの呼出信号を受信し、通信接続処理を行う部分である。当該通信接続処理を行って、回線が確立されると通話を行うことができる。
【００４０】
電話着信処理部４０３は、通信制御部４０２により受信された呼出信号に基づいて着信処理を行う部分である。例えば、着信音による鳴動処理、バイブレータ制御、ＬＥＤ点灯制御などにより、ユーザに呼出信号を受けた旨を報知することができる。
【００４１】
このように構成された通信接続装置２００についてさらに詳細に説明する。図２は、通信接続装置２００におけるコンテンツサーバ２００ｂの詳細な機能ブロックを示すブロック図である。このコンテンツサーバ２００ｂは、コンテンツ選定処理部２０１ｂおよびコンテンツデータベース２０２ｂを含んで構成されており、コンテンツ選定処理部２０１ｂは、配信コンテンツ選定処理部３０１および関連コンテンツ選定処理部３０２を備え、コンテンツデータベース２０２ｂは、接続中用コンテンツデータベース３０３、短時間コンテンツデータベース３０４、中時間コンテンツデータベース３０５、および長時間コンテンツデータベース３０６を含んで構成されている。
【００４２】
配信コンテンツ選定処理部３０１は、発話者携帯電話端末１００に送信するコンテンツを選定する部分であり、発話者携帯電話端末１００が接続中か、または呼出中かに応じて、接続中用コンテンツデータベース３０３から接続中用コンテンツを選定するか、呼出用コンテンツデータベース（短時間コンテンツデータベース３０４、中時間コンテンツデータベース３０５、および長時間コンテンツデータベース３０６）から呼出用コンテンツを選定するかを判断して、その端末の通信状態に応じたコンテンツを選定する。
【００４３】
さらに、配信コンテンツ選定処理部３０１は、受話者携帯電話端末４００から送信された応答予測時間に基づいて、短時間コンテンツ、中時間コンテンツ、または長時間コンテンツのいずれのコンテンツを送信するかを選定し、該当するコンテンツを短時間コンテンツデータベース３０４、中時間コンテンツデータベース３０５、および長時間コンテンツデータベース３０６から抽出する。
【００４４】
関連コンテンツ選定処理部３０２は、接続中用コンテンツデータベース３０３から抽出した接続中用コンテンツを一時的に記憶しておき、接続中から呼出中に移行した場合に、当該接続中用コンテンツに関連する呼出中用コンテンツを選定する部分である。なお、接続中用コンテンツそのものを記憶しておく必要は無く、コンテンツの種別など、関連性を指し示すことができる情報であればよい。
【００４５】
接続中用コンテンツデータベース３０３は、発話者携帯電話端末１００が受話者携帯電話端末４００に発信して接続処理を行っている最中に送信されるコンテンツを記憶する部分である。接続処理には通常数秒かかるものであり、一定の時間がかかるものであることから、その時間に合致した再生時間を有するコンテンツが記憶されている。
【００４６】
短時間コンテンツデータベース３０４は、接続中から呼出中に移行した後に通信接続装置２００から発話者携帯電話端末１００に送信される呼出中用コンテンツを記憶する部分であり、特に受話者携帯電話端末４００における応答予測時間が比較的短い（第１の所定時間内）場合に送信される短時間の呼出中用コンテンツを記憶する部分である。
【００４７】
中時間コンテンツデータベース３０５は、接続中から呼出中に移行した後に通信接続装置２００から発話者携帯電話端末１００に送信される呼出中用コンテンツを記憶する部分であり、特に受話者携帯電話端末４００における応答予測時間が比較的中程度（上述の第１の所定時間よりも長く設定された第２の所定時間内）の場合に送信される中時間の呼出中用コンテンツを記憶する部分である。
【００４８】
長時間コンテンツデータベース３０６は、接続中から呼出中に移行した後に通信接続装置２００から発話者携帯電話端末１００に送信される呼出中用コンテンツを記憶する部分であり、特に受話者携帯電話端末４００における応答予測時間が比較的長時間（上述の第２の所定時間よりも長く設定された第３の所定時間内）の場合に送信される長時間の呼出中用コンテンツを記憶する部分である。
【００４９】
このように構成された通信接続装置２００の動作について説明する。図３は、発話者携帯電話端末１００、通信接続装置２００、および受話者携帯電話端末４００の動作を示すシーケンス図である。
【００５０】
ユーザ操作がなされると電話発信処理部１０１により、発話者携帯電話端末１００から発信信号が送信される（Ｓ１０１）。通信接続装置２００において、この発信信号が、通信接続部２０１ａにより受信されると、その旨はコンテンツサーバ２００ｂに出力され、コンテンツ選定処理部２０１ｂにより接続中用コンテンツが読み出される。そして、通信接続部２０１ａにより読み出された接続中用コンテンツが発話者携帯電話端末１００に送信される（Ｓ１０２）。そして、発話者携帯電話端末１００においては、通信制御部１０２により接続中用コンテンツが受信され、そして、コンテンツ表示処理部１０３による表示処理にしたがって、接続中用コンテンツがディスプレイ１０４に表示される（Ｓ１０３）。
【００５１】
このコンテンツの選定処理が行われると同時に（または前後して）、電話回線接続処理が通信接続部２０１ａにより行われる（Ｓ１０４）。そして、呼出信号が受話者携帯電話端末４００に送信される（Ｓ１０５）。受話者携帯電話端末４００では、通信制御部４０２により通信接続装置２００から呼出信号が受信されると、呼出応答時間予測部４０１において算出された応答予測時間が応答信号として通信接続装置２００に送信される（Ｓ１０６）。
【００５２】
通信接続装置２００では、通信接続部２０１ａにより、応答予測時間を含んだ応答信号が受信されると、その応答予測時間がコンテンツサーバ２００ｂに出力される。そして、応答予測時間に応じた呼出中用コンテンツがコンテンツサーバ２００ｂ（配信コンテンツ選定処理部３０１）において選定され、選定された呼出中用コンテンツは、通信接続部２０１ａにより発話者携帯電話端末１００に送信される（Ｓ１０８）。
【００５３】
発話者携帯電話端末１００において、通信制御部１０２により呼出中用コンテンツが受信され、そして、コンテンツ表示処理部１０３による表示処理にしたがって、呼出中用コンテンツがディスプレイ１０４に表示される（Ｓ１０９）。なお、呼出中用コンテンツが表示される前までに、接続中用コンテンツの表示は完了している。
【００５４】
一方、受話者携帯電話端末４００では、Ｓ１０６において応答予測時間が含まれた応答信号が通信制御部４０２により送信されると、電話着信処理部４０３により呼出処理が行われる（Ｓ１１０）。例えば、着信音制御や、バイブレータ制御等によりユーザに対して呼び出しの旨が報知される。
【００５５】
ユーザ操作にしたがって、電話着信処理部４０３によりその呼び出しに対して着信処理が行われると、通信制御部４０２により呼出応答信号が通信接続装置２００に送信される（Ｓ１１１）。
【００５６】
通信接続装置２００では、受話者携帯電話端末４００から呼出応答信号が受信されると、通信接続部２０１ａにより発話者携帯電話端末１００に対する呼出中用コンテンツの送信処理が一時停止される（Ｓ１１２）。そして、呼出応答信号が発話者携帯電話端末１００に対して送信され（Ｓ１１３）、通話処理がなされる（Ｓ１１４）。
【００５７】
その後、発話者携帯電話端末１００または受話者携帯電話端末４００において、それぞれ通信制御部１０２または通信制御部４０２において切断処理が行われると、通信接続装置２００においては、発話者携帯電話端末１００に対して、Ｓ１１２において一時停止した呼出中用コンテンツの送信が、その中断時点から再開され、その呼出中用コンテンツが送信される（Ｓ１１６）。
【００５８】
このようにして、接続時間または呼出時間に応じて定められた再生時間を有するコンテンツが選定され、発話者携帯電話端末１００に送信される。
【００５９】
ここで、Ｓ１０７におけるコンテンツの選定処理について詳細に説明する。図４は、配信するコンテンツの選定処理を示すフローチャートである。通信接続部２０１ａにより、受話者携帯電話端末４００から応答予測時間を含んだ応答信号が受信されると（Ｓ２１０）、その旨がコンテンツサーバ２００ｂに出力され、そして、コンテンツサーバ２００ｂにおける関連コンテンツ選定処理部３０２により、応答予測時間が判断される（Ｓ２０２）。
【００６０】
ここで関連コンテンツ選定処理部３０２により、短時間（０秒−Ｘ秒）であると判断されると、短時間コンテンツデータベース３０４から短時間コンテンツが取得される（Ｓ２０３）。
【００６１】
また、関連コンテンツ選定処理部３０２により、中時間（Ｘ秒−Ｙ秒）であると判断されると、中時間コンテンツデータベース３０５から中時間コンテンツが取得される（Ｓ２０４）。
【００６２】
また、関連コンテンツ選定処理部３０２により、短時間（Ｙ秒以上）であると判断されると、長時間コンテンツデータベース３０６から長時間コンテンツが取得される（Ｓ２０５）。
【００６３】
そして、それぞれ取得されたコンテンツが通信接続部２０１ａにより発話者携帯電話端末１００に送信される（Ｓ２０６（図３のＳ１０８））。
【００６４】
以上説明した処理により、接続中または呼出中に応じたコンテンツを発話者携帯電話端末１００に送信することができ、発話者携帯電話端末１００においては、そのコンテンツを再生し、表示することで、携帯電話端末におけるエンターテイメント性を向上させることができるとともに、送信されたコンテンツをユーザは楽しむことができる。
【００６５】
つぎに、受話者携帯電話端末４００におえる応答予測時間を算出する呼出応答時間予測部４０１の詳細な機能構成について説明する。図５は、その呼出応答時間予測部４０１を含んだ受話者携帯電話端末４００の詳細な機能を示すブロック図である。
【００６６】
この受話者携帯電話端末４００における呼出応答時間予測部４０１は、着信履歴記憶部４０１ａ、算出部４０１ｂ、および応答平均時間記憶部４０１ｃを含んで構成されている。また、電話着信処理部４０３は、着信動作処理部４０３ａ、着信音制御部４０３ｂ、バイブレータ制御部４０３ｃ、およびＬＥＤ制御部４０４ｄを含んで構成されている。
【００６７】
着信履歴記憶部４０１ａは、発信者番号、着信日時、通話時間、および呼出応答時間を対応付けて記憶する部分である。この呼出応答時間は、呼出信号が受信されてからユーザが着信操作を行うまでの時間である。すなわち、ユーザが着信操作を行うことにより着信動作処理部４０３ａが着信処理を行うと、呼出信号を通信制御部４０２が受信してからユーザが着信操作を行うまでの時間が通信制御部４０２において検出され、通信制御部４０２によりその検出された時間が着信履歴記憶部４０１ａに発信者番号等の他の着信履歴情報に対応付けて記憶される。
【００６８】
算出部４０１ｂは、通信制御部４０２において検出された呼出応答時間が検出されると、その検出した呼出応答時間を含めて全体の呼出応答時間の平均時間を算出する部分である。すなわち、着信履歴記憶部４０１ａに通信制御部４０２において検出された応答時間が記憶され、その後、算出部４０１ｂは、平均応答時間を算出する。
【００６９】
応答平均時間記憶部４０１ｃは、算出部４０１ｂにおいて算出された応答平均時間を記憶する部分である。
【００７０】
通信制御部４０２は、通信接続装置２００から呼出信号を受信すると、応答平均時間記憶部４０１ｃに記憶されている応答平均時間を含んだ応答信号を通信接続装置２００に送信するとともに、通信接続装置２００および発話者携帯電話端末１００との間の通信接続のための処理を行う部分である。
【００７１】
着信動作処理部４０３ａは、通信制御部４０２において通信接続装置２００から呼出信号を受けると、その着信処理を行う部分である。すなわち着信動作処理部４０３ａは呼出信号に基づいて、着信音制御部４０３ｂ、バイブレータ制御部４０３ｃ、およびＬＥＤ制御部４０４ｄを制御することにより、着信音を鳴動させ、バイブレータを振動させ、またはＬＥＤを点灯若しくは点滅させることで、ユーザに着信を報知する。着信動作処理部４０３ａは、これら報知に基づいてユーザが着信操作を行うと（例えば、受話器をオフフック状態とすると）、回線を閉結して、通話可能状態とさせる。通信制御部４０２においては、ユーザの着信操作を検出することで上述の通り呼出応答時間を算出することができる。
【００７２】
このようにして、過去の呼出応答時間に基づいて応答予測時間となる応答平均時間を通信接続装置２００に送信することができる。この通知を受けた通信接続装置２００は、応答予測時間に基づいてコンテンツを選定し、発話者携帯電話端末１００に対して選定したコンテンツを送信することができる。
【００７３】
つぎに、他の形態における受話者携帯電話端末４００について説明する。図６は、他の実施形態における受話者携帯電話端末４００の機能構成を示すブロック図である。この他の実施形態においては、呼出応答時間予測部４０１は、加速度センサ４０１ｄ、端末動作状態判定部４０１ｅ、端末振動パターンデータベース４０１ｆ、応答予測時間算出部４０１ｇ、端末状態別応答予測時間データベース４０１ｈを含んで構成されている。
【００７４】
加速度センサ４０１ｄは、受話者携帯電話端末４００自体の状態、すなわちユーザによる保持状態を検出する部分であり、端末の向き、動き等を見るために端末自体の加速度を検出するデバイスである。検出した加速度情報は、端末振動情報として出力される。
【００７５】
端末動作状態判定部４０１ｅは、端末振動パターンデータベース４０１ｆに記憶されている端末振動パターンデータおよび加速度線さ４０１ｄから出力された端末振動情報に基づいて端末の状態を判定する部分である。例えば、端末振動パターンデータに基づいて、端末の状態が、歩行中のユーザに保持されている状態か、静止中（例えば、机の上においてある）であるか、または操作中であるかなどを判定する。
【００７６】
端末振動パターンデータベース４０１ｆは、端末振動パターンを記憶する部分である。図７（ａ）は、その具体例を示す説明図である。図７（ａ）に示すように、端末振動パターンデータベース４０１ｆは、振動パターンと端末状態とが対応付けて記憶されている。なお、振動パターンは、加速度センサ４０１ｄにより検出された加速度を示す情報であって、図７においてはその加速度情報を模式的に示している。
【００７７】
応答予測時間算出部４０１ｇは、端末状態別応答予測時間データベース４０１ｈに記憶されている情報にしたがって、応答予測時間を算出する部分である。例えば、ユーザが歩行中であるか、端末を操作中であるかなどに応じて応答予測時間が決定される。
【００７８】
端末状態別応答予測時間データベース４０１ｈは、端末状態と応答予測時間とを対応付けて記憶する部分である。図７（ｂ）にその具体例を示す。図７（ｂ）に示すとおり、端末状態として、歩行中、静止中、電車に乗車中などのユーザの状態に応じて、応答予測時間が詳細に定められている。例えば歩行中には７秒が対応付けられており、また静止中には、ユーザと端末とが離れていると判断されることから、着信操作まで時間がかかると予想され、すこし長めの１５秒が応答予測時間に設定されている。
【００７９】
このようにして受話者携帯電話端末４００の状態に応じた応答予測時間を通信接続装置２００に通知することができる。この通知を受けた通信接続装置２００は、応答予測時間に基づいてコンテンツを選定し、発話者携帯電話端末１００に対して選定したコンテンツを送信することができる。
【００８０】
つぎに、本実施形態の通信接続装置２００および受話者携帯電話端末４００の作用効果について説明する。本実施形態の通信接続装置２００において、交換機２００ａ（通信接続部２０１ａ）は、発話者携帯電話端末１００から接続要求を受けると、受話者携帯電話端末４００に対する接続処理を行う。一方、コンテンツサーバ２００ｂにおいては、コンテンツ選定処理部２０１ｂが、コンテンツデータベース２０２ｂに記憶されている接続中用コンテンツを選定して、これを交換機２００ａに出力し、交換機２００ａ（通信接続部２０１ａ）が、選定した接続中用コンテンツを発話者携帯電話端末１００に送信する。
【００８１】
そして、通信接続部２０１ａにおける受話者携帯電話端末４００に対する接続処理後、受話者携帯電話端末４００に対する接続処理の実行中から呼出中に移行した場合には、接続処理に応じて受話者携帯電話端末４００から送信された応答予測時間に基づいて、コンテンツサーバ２００ｂにおけるコンテンツ選定処理部２０１ｂは、コンテンツデータベース２０２ｂから呼出中用コンテンツを選定する。そして、交換機２００ａ（通信接続部２０１ａ）は、選定した呼出中用コンテンツを発話者携帯電話端末１００に送信する。
【００８２】
発話者携帯電話端末１００においては、送信された接続中用コンテンツまたは呼出中用コンテンツをそのディスプレイ１０４に表示することができる。なお、ここでは所定の再生時間を有する動画コンテンツを想定しているが、動画コンテンツに限定するものではなく、そのコンテンツが有する情報量に応じて、接続中用コンテンツまたは呼出中用コンテンツを定めてもよい。すなわち、ユーザが数秒の間で把握できる情報量は限られているものであるため、表示できる時間に応じた情報量を有するコンテンツを選定するようにしてもよい。
【００８３】
これにより、接続中であるか、呼出中であるかなどその通信状態に応じて発話者携帯電話端末１００に送信するコンテンツを選択することができ、適切な再生時間または情報量を有するコンテンツの表示を発話者携帯電話端末１００に行わせることができる。よって、コンテンツの再生途中またはユーザがコンテンツ内容を把握している途中で中断することなく、コンテンツに対するユーザの満足度を向上させ、よってエンターテイメント性を向上させることができる。
【００８４】
また、本実施形態の通信接続装置２００のコンテンツサーバ２００ｂにおいて、コンテンツ選定処理部２０１ｂは、受話者携帯電話端末４００の応答予測時間に基づいて、短時間用コンテンツまたは長時間用コンテンツのいずれかの呼出中用コンテンツを送信するかをコンテンツデータベース２０２ｂから選択する。そして、交換機２００ａにおける通信接続部２０１ａは、選択された呼出中用コンテンツを発話者携帯電話端末１００に送信する。よって、受話者携帯電話端末４００のユーザが応答するまでの適切な再生時間またはユーザの一時に把握するのに適した情報量を有するコンテンツを選択することができ、コンテンツの再生またはユーザの把握が中断することの無いコンテンツを選択することができる。
【００８５】
また、通信接続装置２００を交換機２００ａとコンテンツサーバ２００ｂとを分けて構成しておき、コンテンツサーバ２００ｂ側に、接続中用コンテンツ、および呼出中用コンテンツを記憶しておくようにしてもよい。また、その逆に交換機２００ａとコンテンツサーバ２００ｂとを一つの通信接続装置２００として構成してもよい。
【００８６】
また、通信接続装置２００の交換機２００ａ（通信接続部２０１ａ）による、発話者携帯電話端末１００と受話者携帯電話端末４００との間の通話中状態が終了すると、コンテンツサーバ２００ｂは、通信接続部２０１ａを用いて、着信処理により中断された呼出中用コンテンツの中断場所から送信することができる。すなわち、通信接続装置２００からストリーミング配信によりコンテンツが送信された場合には、通信接続装置２００における制御により中断場所から送信処理を行うことができる。よって、着信操作によってコンテンツの再生等が中断した場合においてもユーザはコンテンツを視聴または理解することができ、そのコンテンツを最後まで楽しむことができる。動画ファイルとして通信接続装置２００から呼出中用コンテンツが送信されていた場合には、発話者携帯電話端末１００側で中断位置を記憶しておき、受話者携帯電話端末４００との通話が終了したときに、中断位置から再開するように制御することもできる。
【００８７】
また、受話者携帯電話端末４００における通信制御部４０２は、通信接続装置２００からの呼出信号に応じて、呼出応答時間予測部４０１により算出された応答予測時間を発話者携帯電話端末１００に応答することができる。よって、発話者携帯電話端末１００の状態に応じた再生時間またはユーザの一時に把握するのに適した情報量を有する呼出中用コンテンツを通信接続装置２００において定めさせることができる。
【００８８】
また、受話者携帯電話端末４００において、通信制御部４０２は呼出要求を受信し、その応答がなされるたびに応答時間を算出し、そして、算出された応答時間に基づいて統計処理されて得られた応答予測時間を着信履歴記憶部４０１ａに記憶しておく。そして、発話者携帯電話端末１００から送信された呼出要求があると、着信履歴記憶部４０１ａに記憶された応答予測時間を応答信号に含めて応答することで、通信接続装置２００側に受話者携帯電話端末４００の応答予測時間を知らせることができる。この応答予測時間は過去の応答時間に基づいて作成されたものであることから、概ね妥当な時間であり、その応答予測時間に応じたコンテンツを通信接続装置２００に選択させることができる。
【００８９】
また、受話者携帯電話端末４００において、端末動作状態判定部４０１ｅは、加速度センサ４０１ｄにより検出された加速度情報および端末振動パターンデータベース４０１ｆを用いて、端末状態を把握する。そして、応答予測時間算出部４０１ｇは、この端末状態および端末状態別応答予測時間データベース４０１ｈに記憶されている情報に基づいて応答予測時間を算出する。通信制御部４０２は、この応答予測時間算出部４０１ｇにおいて算出された応答予測時間を応答信号に含めて応答することにより、より適切な応答予測時間を通信接続装置２００に通知することができる。よって、その応答予測時間に応じたコンテンツを通信接続装置２００に選択させることができる。
【符号の説明】
【００９０】
１００…発話者携帯電話端末、１０１…電話発信処理部、１０２…通信制御部、１０３…コンテンツ表示処理部、１０４…ディスプレイ、２００…通信接続装置、２００ａ…交換機、２００ｂ…コンテンツサーバ、２０１ａ…通信接続部、２０１ｂ…コンテンツ選定処理部、２０２ｂ…コンテンツデータベース、３０１…配信コンテンツ選定処理部、３０２…関連コンテンツ選定処理部、３０３…接続中用コンテンツデータベース、３０４…短時間コンテンツデータベース、３０５…中時間コンテンツデータベース、３０６…長時間コンテンツデータベース、４００…受話者携帯電話端末、４０１…呼出応答時間予測部、４０１ａ…着信履歴記憶部、４０１ｂ…算出部、４０１ｃ…応答平均時間記憶部、４０１ｄ…加速度センサ、４０１ｅ…端末動作状態判定部、４０１ｆ…端末振動パターンデータベース、４０１ｇ…応答予測時間算出部、４０１ｈ…端末状態別応答予測時間データベース、４０２…通信制御部、４０３…電話着信処理部、４０３ａ…着信動作処理部、４０３ｂ…着信音制御部、４０３ｃ…バイブレータ制御部、４０４ｄ…ＬＥＤ制御部。
【図１】
2010239371.tif 000003
【図２】
2010239371.tif 000004
【図３】
2010239371.tif 000005
【図４】
2010239371.tif 000006
【図５】
2010239371.tif 000007
【図６】
2010239371.tif 000008
【図７】
2010239371.tif 000009